(57)【要約】      （修正有）【課題】均一な塗布、多量な塗布、微細な塗布などが可能であり、かつ塗布液を確実に除去することが可能である。【解決手段】ブラシ具１は、複数本の折り曲げ状ブラシ４を、交差または並列させて配置した。また直線状ブラシ５に沿わせて折り曲げ状ブラシ４を配置し、また折り曲げ状ブラシ４は、根元が太く、先端が細くなるように捻じられた構成であり、また折り曲げ状ブラシ４は、根元を捻じることなく、先端が細くなるように捻じられた構成であり、また直線状ブラシ６に沿わせて折り曲げ状ブラシ４を、根元が太く、先端が細くなるように捻じられた構成であり、また直線状塗布軸７に沿わせて折り曲げ状ブラシ４を配置した。【選択図】図１
2015173867.tif 000002
【特許請求の範囲】
【請求項１】
多数のブラシ毛材が芯材を中心に放射状に設けて折り曲げられた折り曲げ状ブラシを複数本備え、
前記複数本の折り曲げ状ブラシを、交差または並列させて配置したことを特徴とするブラシ具。
【請求項２】
多数のブラシ毛材が芯材を中心に放射状に設けられた直線状ブラシと、
多数のブラシ毛材が芯材を中心に放射状に設けて折り曲げられた折り曲げ状ブラシを備え、
前記直線状ブラシに沿わせて前記折り曲げ状ブラシを配置したことを特徴とするブラシ具。
【請求項３】
多数のブラシ毛材が芯材を中心に放射状に設けて折り曲げられた折り曲げ状ブラシを備え、
前記折り曲げ状ブラシは、根元が太く、先端が細くなるように捻じられた構成であることを特徴とするブラシ具。
【請求項４】
多数のブラシ毛材が芯材を中心に放射状に設けて折り曲げられた折り曲げ状ブラシを備え、
前記折り曲げ状ブラシは、根元を捻じることなく、先端が細くなるように捻じられた構成であることを特徴とするブラシ具。
【請求項５】
多数のブラシ毛材が芯材を中心に放射状に設けられた直線状ブラシと、
多数のブラシ毛材が芯材を中心に放射状に設けて折り曲げられた折り曲げ状ブラシを備え、
前記直線状ブラシに沿わせて前記折り曲げ状ブラシを、根元が太く、先端が細くなるように捻じられた構成であることを特徴とするブラシ具。
【請求項６】
凹凸を有する直線状塗布軸と、
多数のブラシ毛材が芯材を中心に放射状に設けて折り曲げられた折り曲げ状ブラシを備え、
前記直線状塗布軸に沿わせて前記折り曲げ状ブラシを配置したことを特徴とするブラシ具。
【発明の詳細な説明】
【技術分野】
【０００１】
この発明は、特にマスカラブラシ、アイシャドウブラシ、アイブローブラシ、毛染め用ブラシのように塗布対象毛にマスカラや毛染め液などの塗布液を塗布するための塗布ブラシ、またアイシャドウ、リップ、リップグロス、ファンデーション、しみ隠しブラシなどの化粧ブラシ、さらにマスカラや毛染め液などの塗布液を除去する洗浄ブラシなどのブラシ具に関する。
【背景技術】
【０００２】
従来、例えばマスカラブラシとして、特許文献１に開示されているように、ブラシに付着させたマスカラをまつ毛に塗布するものが用いられている。通常、多数のブラシ毛材を２つ折りとされた芯材で挟み、この芯材を巻き上げて多数のブラシ毛材が芯材から放射状になるように形成し、芯材基端が埋め込み固定されるハンドルから構成されるのが一般的である。
【先行技術文献】
【特許文献】
【０００３】
【特許文献１】特開平５−２２８０１８号公報
【発明の概要】
【発明が解決しようとする課題】
【０００４】
このように、従来のマスカラブラシは、芯材を巻き上げて多数のブラシ毛材が芯材から放射状になるように形成しているために、ブラシ毛材の間に芯材の太さ分の隙間が生じており、この隙間に塗布液がたまる。このため、塗布液を塗布する際には、塗布液がたまっている隙間の部分に数本のまつ毛が入り込み、まつ毛に液玉となって塗布される等の問題があり、まつ毛への均一な塗布、多量な塗布、微細な塗布などができなかった。
【０００５】
この発明は、かかる実情に鑑みてなされたもので、均一な塗布、多量な塗布、微細な塗布などが可能であり、かつ塗布液などを確実に除去することが可能なブラシ具を提案しようとするものである。
【課題を解決するための手段】
【０００６】
前記課題を解決し、かつ目的を達成するために、この発明は、以下のように構成した。
【０００７】
請求項１に記載の発明は、多数のブラシ毛材が芯材を中心に放射状に設けて折り曲げられた折り曲げ状ブラシを複数本備え、
前記複数本の折り曲げ状ブラシを、交差または並列させて配置したことを特徴とするブラシ具である。
【０００８】
請求項２に記載の発明は、多数のブラシ毛材が芯材を中心に放射状に設けられた直線状ブラシと、
多数のブラシ毛材が芯材を中心に放射状に設けて折り曲げられた折り曲げ状ブラシを備え、
前記直線状ブラシに沿わせて前記折り曲げ状ブラシを配置したことを特徴とするブラシ具である。
【０００９】
請求項３に記載の発明は、多数のブラシ毛材が芯材を中心に放射状に設けて折り曲げられた折り曲げ状ブラシを備え、
前記折り曲げ状ブラシは、根元が太く、先端が細くなるように捻じられた構成であることを特徴とするブラシ具である。
【００１０】
請求項４に記載の発明は、多数のブラシ毛材が芯材を中心に放射状に設けて折り曲げられた折り曲げ状ブラシを備え、
前記折り曲げ状ブラシは、根元を捻じることなく、先端が細くなるように捻じられた構成であることを特徴とするブラシ具である。
【００１１】
請求項５に記載の発明は、多数のブラシ毛材が芯材を中心に放射状に設けられた直線状ブラシと、
多数のブラシ毛材が芯材を中心に放射状に設けて折り曲げられた折り曲げ状ブラシを備え、
前記直線状ブラシに沿わせて前記折り曲げ状ブラシを、根元が太く、先端が細くなるように捻じられた構成であることを特徴とするブラシ具である。
【００１２】
請求項６に記載の発明は、凹凸を有する直線状塗布軸と、
多数のブラシ毛材が芯材を中心に放射状に設けて折り曲げられた折り曲げ状ブラシを備え、
前記直線状塗布軸に沿わせて前記折り曲げ状ブラシを配置したことを特徴とするブラシ具である。
【発明の効果】
【００１３】
前記構成により、この発明は、以下のような効果を有する。
【００１４】
請求項１に記載の発明では、複数本の折り曲げ状ブラシを、交差または並列させて配置したことで、例えば液塗布ブラシとして用いる場合には、複数本の折り曲げ状ブラシを、交差または並列させて配置した部分に塗布液が溜まり、例えばまつ毛に多量塗布ができ、塗布後にはまつ毛を１本１本梳くようにして塗布液を均一に塗布することができ、あるいは微細な塗布ができ、美しく仕上げることが可能である。
【００１５】
請求項２に記載の発明では、直線状ブラシに沿わせて折り曲げ状ブラシを配置したことで、例えば液塗布ブラシとして用いる場合には、直線状ブラシに沿わせて折り曲げ状ブラシを配置した部分に塗布液が溜まり、例えばまつ毛に多量塗布ができ、塗布後にはまつ毛を１本１本梳くようにして塗布液を均一に塗布することができ、あるいは微細な塗布ができ、美しく仕上げることが可能である。
【００１６】
請求項３に記載の発明では、折り曲げ状ブラシは、根元が太く、先端が細くなるように捻じられた構成であり、根元の太い部分と、先端の細い部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００１７】
請求項４に記載の発明では、折り曲げ状ブラシは、根元を捻じることなく、先端が細くなるように捻じられた構成であり、根元の捻じられていない部分と、先端の細くなるように捻じられた部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００１８】
請求項５に記載の発明では、直線状ブラシに沿わせて折り曲げ状ブラシを、根元が太く、先端が細くなるように捻じられた構成であることで、根元の太い部分と、先端の細い部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００１９】
請求項６に記載の発明では、直線状塗布軸に沿わせて折り曲げ状ブラシを配置したことで、折り曲げ状ブラシによって、例えばまつ毛に多量塗布ができ、塗布後にはまつ毛を１本１本梳くようにして塗布液を均一に塗布することができ、あるいは微細な塗布ができ、美しく仕上げることが可能である。
【図面の簡単な説明】
【００２０】
【図１】第１の実施の形態のブラシ具を説明する図である。
【図２】第２の実施の形態のブラシ具を説明する図である。
【図３】第３の実施の形態のブラシ具を説明する図である。
【図４】他の第３の実施の形態のブラシ具を説明する図である。
【図５】第４の実施の形態のブラシ具を説明する図である。
【図６】第５の実施の形態のブラシ具を説明する図である。
【図７】第６の実施の形態のブラシ具を説明する図である。
【図８】第７の実施の形態のブラシ具を説明する図である。
【図９】第８の実施の形態のブラシ具を説明する図である。
【図１０】第９の実施の形態のブラシ具を説明する図である。
【発明を実施するための形態】
【００２１】
以下、この発明のブラシ具の実施の形態について説明する。この発明の実施の形態は、発明の最も好ましい形態を示すものであり、この発明はこれに限定されない。このブラシ具は、マスカラブラシ、アイシャドウブラシ、アイブローブラシなど毛染め用ブラシのように塗布対象毛にマスカラや毛染め液などの塗布液を塗布するための塗布ブラシ、リップブラシ、ファンデーションブラシ、しみ隠しブラシ、美容液塗布ブラシなどの塗布ブラシ、またマスカラや毛染め液などの塗布液を除去する洗浄ブラシ、メイキャップ液や化粧液を除去するなどのブラシ具に用いられる。また、爪へのマニキュア塗布や除去さらには洗浄にも使用でき、さらに化粧用に限定されることなく、耳の中の掃除に使用するブラシ具に用いられる。
【００２２】
［第１の実施の形態］
第１の実施の形態の構成を、図１に基づいて説明する。図１（ａ）はブラシ具の側面図、図１（ｂ）はブラシ部の先端側から見た図である。この実施の形態のブラシ具１は、多数のブラシ毛材２を芯材３で挟んで巻き上げてなるマスカラブラシであり、多数のブラシ毛材２が芯材３を中心に放射状に設けて折り曲げられた折り曲げ状ブラシ４を複数本備える。この実施の形態では、２本の折り曲げ状ブラシ４を、交差させて配置した構成であり、２本の折り曲げ状ブラシ４は、その両端部を軸部１ａに固定し、曲げ部を先端側にして先端側から見て直交するように交差させている。この２本の折り曲げ状ブラシ４は、その両端部側を近接させ、たまご状に折り曲げた構成である。
【００２３】
この実施の形態の場合、ブラシ毛材２は、０．１〜２．０〔ｍｍφ〕の太さの２本になるように折り曲げたステンレス線材の芯材３間に、その延長方向に多数のブラシ繊維材料のブラシ毛材２を配列するように挟み込んだ状態において、芯材３にねじり加工を施すことにより、ねじり加工された芯材３を中心として、直線的に外方にブラシ毛材２を突出するように植毛し、多数のブラシ毛材２が、芯材３を中心に放射状に設けられた状態になる。
【００２４】
ブラシ繊維材料は、０．０２８〜０．３〔ｍｍφ〕の合成樹脂材料（ナイロン、テトロン、ポリエステル、ポリプロピレンなど）の繊維素材を用いることができ、芯材３やブラシ毛材２の材質、大きさ、形状等はブラシ具の使用用途によって自由に選定される。
この実施の形態では、２本の折り曲げ状ブラシ４を、交差させて配置したことで、例えば液塗布ブラシとして用いる場合には、２本の折り曲げ状ブラシ４を、交差している部分に塗布液が溜まり、例えばまつ毛に多量塗布ができ、塗布後には、交差していない部分で、まつ毛を１本１本梳くようにして塗布液を均一に塗布することができ、あるいは微細な塗布ができ、美しく仕上げることが可能である。
【００２５】
［第２の実施の形態］
第２の実施の形態の構成を、図２に基づいて説明する。この実施の形態は、第１の実施の形態と同様に２本の折り曲げ状ブラシ４を、交差させて配置した構成であるが、図２（ａ）の実施の形態は、２本の折り曲げ状ブラシ４が瓢箪状であり、図２（ｂ）の実施の形態は、１本の折り曲げ状ブラシ４はたまご状で、１本の１本の折り曲げ状ブラシ４はたまご状の先端側を絞った形状であり、図２（ｃ）の実施の形態は、２本の折り曲げ状ブラシ４が筒状であり、図２（ｄ）の実施の形態は、２本の折り曲げ状ブラシ４が扇状である。
【００２６】
［第３の実施の形態］
第３の実施の形態の構成を、図３及び図４に基づいて説明する。この実施の形態は、第１の実施の形態と同様に構成されるが、複数本の折り曲げ状ブラシ４を、交差させて配置した構成である。図３の実施の形態は、３本の折り曲げ状ブラシ４を、交差させて配置した構成であり、折り曲げ状ブラシ４はたまご状である。図４の実施の形態は、３本の折り曲げ状ブラシ４を、交差させて配置した構成であり、折り曲げ状ブラシ４は筒状であるが、これに限定されず、複数本を交差させればよく、また折り曲げ状ブラシ４の折り曲げ形状も特に限定されない。
【００２７】
［第４の実施の形態］
第４の実施の形態の構成を、図５に基づいて説明する。この実施の形態は、３本の折り曲げ状ブラシ４を、並列させて配置した構成であり、折り曲げ状ブラシ４は第１の実施の形態と同様に構成される。この実施の形態では、中央に位置する１本の折り曲げ状ブラシ４が細長い形状であり、両側に位置する２本の折り曲げ状ブラシ４が短く太い形状である。
【００２８】
［第５の実施の形態］
第５の実施の形態の構成を、図６に基づいて説明する。この実施の形態は、多数のブラシ毛材２が芯材３を中心に放射状に設けられた直線状ブラシ５と、多数のブラシ毛材２が芯材３を中心に放射状に設けて折り曲げられた折り曲げ状ブラシ４を備え、直線状ブラシ５に沿わせて折り曲げ状ブラシ４を配置した構成である。折り曲げ状ブラシ４は、第１の実施の形態と同様に構成され、２本の折り曲げ状ブラシ４の間に、直線状ブラシ５が配置され、この直線状ブラシ５が２本の折り曲げ状ブラシ４より先端側に長くなっている。
【００２９】
この実施の形態では、直線状ブラシ５に沿わせて折り曲げ状ブラシ４を配置したことで、例えば液塗布ブラシとして用いる場合には、直線状ブラシ５に沿わせて折り曲げ状ブラシ４を配置した部分に塗布液が溜まり、例えばまつ毛に多量塗布ができ、塗布後にはまつ毛を１本１本梳くようにして塗布液を均一に塗布することができ、あるいは直線状ブラシ５の先端側で微細な塗布ができ、美しく仕上げることが可能である。
【００３０】
［第６の実施の形態］
第６の実施の形態の構成を、図７に基づいて説明する。この実施の形態は、多数のブラシ毛材２が芯材３を中心に放射状に設けて折り曲げられた折り曲げ状ブラシ４を備え、折り曲げ状ブラシ４は、根元が太く、先端が細くなるように捻じられた構成である。
【００３１】
折り曲げ状ブラシ４は、第１の実施の形態と同様に構成され、図７（ａ）の実施の形態では、根元のねじりピッチを小さくし、先端側に徐々にねじりピッチを大きくすることで、根元が太く、先端が細くなるように捻じられた構成であり、図７（ｂ）の実施の形態では、根元のねじり径を大きくし、先端側に徐々にねじり径を小さくすることで、根元が太く、先端が細くなるように捻じられた構成である。
【００３２】
この実施の形態では、折り曲げ状ブラシ４は、根元が太く、先端が細くなるように捻じられた構成であり、根元の太い部分と、先端の細い部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００３３】
［第７の実施の形態］
第７の実施の形態の構成を、図８に基づいて説明する。この実施の形態は、多数のブラシ毛材２が芯材３を中心に放射状に設けて折り曲げられた折り曲げ状ブラシ４を備え、この折り曲げ状ブラシ４は、根元を捻じることなく、先端が細くなるように捻じられた構成である。折り曲げ状ブラシ４は、第１の実施の形態と同様に多数のブラシ毛材２が芯材３を中心に放射状に設けた構成である。
【００３４】
この実施の形態では、折り曲げ状ブラシ４は、根元を捻じることなく、先端が細くなるように捻じられた構成であり、根元の捻じられていない部分と、先端の細くなるように捻じられた部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００３５】
［第８の実施の形態］
第８の実施の形態の構成を、図９に基づいて説明する。この実施の形態は、多数のブラシ毛材２が芯材３を中心に放射状に設けられた直線状ブラシ６と、多数のブラシ毛材２が芯材３を中心に放射状に設けて折り曲げられた折り曲げ状ブラシ４を備え、折り曲げ状ブラシ４は、直線状ブラシ６に沿わせている。
【００３６】
折り曲げ状ブラシ４は、第１の実施の形態と同様に多数のブラシ毛材２が芯材３を中心に放射状に設けた構成であり、この実施の形態では、直線状ブラシ６を中心にして、折り曲げ状ブラシ４を、根元が太く、先端が細くなるように捻じられた構成である。
【００３７】
この実施の形態では、直線状ブラシ６に沿わせて折り曲げ状ブラシ４を、根元が太く、先端が細くなるように捻じられた構成であることで、根元の太い部分と、先端の細い部分を使い分けて、例えばまつ毛に多量塗布ができ、塗布後にはまつ毛を１本１本梳くようにして塗布液を均一に塗布することができ、あるいは微細な塗布ができ、美しく仕上げることが可能である。
【００３８】
［第９の実施の形態］
第９の実施の形態の構成を、図１０に基づいて説明する。この実施の形態は、凹凸を有する直線状塗布軸７と、多数のブラシ毛材２が芯材３を中心に放射状に設けて折り曲げられた折り曲げ状ブラシ４を備え、直線状塗布軸７に沿わせて折り曲げ状ブラシ４を配置した構成である。
【００３９】
折り曲げ状ブラシ４は、第１の実施の形態と同様に多数のブラシ毛材２が芯材３を中心に放射状に設けた構成であり、この実施の形態では、直線状塗布軸７は、樹脂の成形物などが用いられ、例えばコーム、コイル、樹脂棒、シリコン棒などを用いることができる。
【００４０】
この実施の形態では、直線状塗布軸７に沿わせて折り曲げ状ブラシ４を配置したことで、折り曲げ状ブラシ４によって、例えばまつ毛に多量塗布ができ、塗布後にはまつ毛を１本１本梳くようにして塗布液を均一に塗布することができ、あるいは微細な塗布ができ、美しく仕上げることが可能である。
【産業上の利用可能性】
【００４１】
この発明は、特にマスカラブラシ、アイシャドウブラシ、アイブローブラシ、毛染め用ブラシのように塗布対象毛にマスカラや毛染め液などの塗布液を塗布するための塗布ブラシ、またアイシャドウ、リップ、リップグロス、ファンデーション、しみ隠しブラシなどの化粧ブラシ、さらにマスカラや毛染め液などの塗布液を除去する洗浄ブラシなどのブラシ具に適用され、均一な塗布、多量な塗布、微細な塗布などが可能であり、かつ塗布液を確実に除去することが可能である。
【符号の説明】
【００４２】
１  ブラシ具
２  ブラシ毛材
３  芯材
４  折り曲げ状ブラシ
５，６  直線状ブラシ
７  直線状塗布軸
【図１】
2015173867.tif 000003
【図２】
2015173867.tif 000004
【図３】
2015173867.tif 000005
【図４】
2015173867.tif 000006
【図５】
2015173867.tif 000007
【図６】
2015173867.tif 000008
【図７】
2015173867.tif 000009
【図８】
2015173867.tif 000010
【図９】
2015173867.tif 000011
【図１０】
2015173867.tif 000012